(57)【要約】【課題】管内の損傷部を補修するための管内損傷部封止バンドおよびそれを用いた管内損傷部封止方法を提供する。【解決手段】管内の損傷部を補修するための管内損傷部封止バンドにおいて、円周方向の両端が楔状に隙間を有し管内の内周面全周囲に亘って敷設されるように薄板で帯状に形成されるとともに円筒方向の両端側に弾性を有する封止パッキンを敷設したバンドと、前記バンドの円周方向の両端に楔状に形成された隙間を埋めるとともに前記バンドを管内周面に密着させるように構成された打ち込み楔とを有し、前記バンドおよび／または前記打ち込み楔には敷設後に封止剤を封入する孔を形成したことを特徴とする。【選択図】図３
2014058995.tif 000002
【特許請求の範囲】
【請求項１】
管内の損傷部を補修するための管内損傷部封止バンドにおいて、
円周方向の両端が楔状に隙間を有し管内の内周面全周囲に亘って敷設されるように薄板で帯状に形成されるとともに円筒方向の両端側に弾性を有する封止パッキンを敷設したバンドと、
前記バンドの円周方向の両端に楔状に形成された隙間を埋めるとともに前記バンドを管内周面に密着させるように構成された打ち込み楔とを有し、
前記バンドおよび／または前記打ち込み楔には敷設後に封止剤を封入する孔を形成したことを特徴とする管内損傷部封止バンド。
【請求項２】
管内の損傷部を補修するための管内損傷部封止方法において、
円周方向の両端が楔状に隙間を有し管内の内周面全周囲に亘って敷設されるように薄板で帯状に形成されるとともに円筒方向の両端側に弾性を有する封止パッキンを敷設したバンドを管内の補修損傷部を含む円周面上に敷設し、
前記バンドの円周方向の両端に楔状に形成された前記隙間を埋めるとともに前記バンドを管内周面に密着させるように構成された打ち込み楔を前記バンドの円周方向両端に形成された前記隙間に挿入し、
前記バンドおよび／または前記打ち込み楔に形成した孔に封止剤を封入することを特徴とする管内損傷部封止方法。
【発明の詳細な説明】
【技術分野】
【０００１】
この発明は、水道や下水などの配水管あるいは工業用の排水管などにおける管内の損傷部を補修するための、管内損傷部封止バンド及び管内損傷部封止方法に関する。
【背景技術】
【０００２】
従来、水道や下水などの配水管あるいは工業用の排水管などにおける管内の損傷部を補修するため、補修用の部品や補修方法が提案されており、さらに工事現場では各種の補修方法が用いられてきた。
【０００３】
そして、損傷部分を部分的に補修する方法や、損傷部を含む全域を総合的に補修する補修部品や方法が提案されている。すなわち、水中で硬化するセメントや接着剤が開発され、損傷部分の周囲を抉り取るとともに、当該部分に当該接着剤を注入する方法などが知られている。
【０００４】
具体的には、例えば特開２０１１−１２７８７号公報には、配管１を流れる流体の漏洩を生じさせる欠陥を封止する配管補修方法であって、配管１の外周面１１に欠陥を包囲するように枠体２を配置する工程と、配管１の周方向に沿う部分の枠体２の開口縁部を配管１に押圧する第１治具３を取り付ける工程と、配管１の軸方向に沿う部分の枠体２の開口縁部を配管１に押圧する第２治具４を取り付ける工程と、第１治具３及び第２治具４が取り付けられた状態で、枠体２の開口２０に硬化型の封止剤Ｑ１を充填する工程と、封止剤が充填された枠体２の開口２０を蓋で塞ぐ工程と、蓋で塞ぐ工程の後に封止剤を硬化させる工程と、封止剤を硬化させる工程の後に枠体及び蓋を取り外す工程とを有する配管補修方法が開示されている。
【先行技術文献】
【特許文献】
【０００５】
【特許文献１】特開２０１１−１２７８７号公報（図６参照）
【発明の概要】
【発明が解決しようとする課題】
【０００６】
しかしながら、損傷部分の周囲を抉り取るとともに、当該部分に接着剤を注入して損傷部を封止する方法では、抉り取る作業が容易でないばかりではなく、効率的な作業が行えず経費が嵩むため経済的ではない。さらに、損傷部を封止したことによる接着剤の剥離など信頼性に乏しい面がある。
【０００７】
また、特開２０１１−１２７８７号公報に開示された方法では、特殊な治具が必要であるために経費が嵩むとともに、治具を取り外したあとの固定部の封止の持続性及びその安定性に不安が残る。
【０００８】
このような状況下において補修作業が簡便であって補修の手間が掛からず、かつ補修部分が安定して封止効果が持続可能な補修部品及び補修方法が求められている。
【０００９】
この発明は、前記のような課題を解決するものであり、管内の損傷部を補修するための管内損傷部封止バンドを管内面の損傷部を含む部位に敷設し、当該バンドを管内面に密着させた上で封止剤を注入して、損傷部を補修する管内損傷部封止バンドおよび当該バンドを用いた管内損傷部封止方法を提供することを目的とする。
【課題を解決するための手段】
【００１０】
上記の目的を達成するため請求項１に記載の発明によれば、管内の損傷部を補修するための管内損傷部封止バンドにおいて、円周方向の両端が楔状に隙間を有し管内の内周面全周囲に亘って敷設されるように薄板で帯状に形成されるとともに円筒方向の両端側に弾性を有する封止パッキンを敷設したバンドと、前記バンドの円周方向の両端に楔状に形成された隙間を埋めるとともに前記バンドを管内周面に密着させるように構成された打ち込み楔とを有し、前記バンドおよび／または前記打ち込み楔には敷設後に封止剤を封入する孔を形成したことを特徴とする。
【００１１】
また請求項２に記載の発明によれば、管内の損傷部を補修するための管内損傷部封止方法において、円周方向の両端が楔状に隙間を有し管内の内周面全周囲に亘って敷設されるように薄板で帯状に形成されるとともに円筒方向の両端側に弾性を有する封止パッキンを敷設したバンドを管内の補修損傷部を含む円周面上に敷設し、前記バンドの円周方向の両端に楔状に形成された前記隙間を埋めるとともに前記バンドを管内周面に密着させるように構成された打ち込み楔を前記バンドの円周方向両端に形成された前記隙間に挿入し、前記バンドおよび／または前記打ち込み楔に形成した孔に封止剤を封入することを特徴とする。
【発明の効果】
【００１２】
請求項１に記載の発明によれば、円周方向の両端が楔状に隙間を有し管内の内周面全周囲に亘って敷設されるように薄板で帯状に形成されるとともに円筒方向の両端側に弾性を有する封止パッキンを敷設したバンドと、前記バンドの円周方向の両端に楔状に形成された隙間を埋めるとともに前記バンドを管内周面に密着させるように構成された打ち込み楔とを用いて、前記バンドおよび／または前記打ち込み楔に形成した孔に封止剤を封入することにより、管内損傷部を補修することができる。
【００１３】
また、請求項２に記載の発明によれば、円周方向の両端が楔状に隙間を有し管内の内周面全周囲に亘って敷設されるように薄板で帯状に形成されるとともに円筒方向の両端側に弾性を有する封止パッキンを敷設したバンドを管内の補修損傷部を含む円周面上に敷設し、前記バンドの円周方向の両端に楔状に形成された前記隙間を埋めるとともに前記バンドを管内周面に密着させるように構成された打ち込み楔を前記バンドの円周方向両端に形成された前記隙間に挿入し、前記バンドおよび／または前記打ち込み楔に形成した孔に封止剤を封入することにより管内の損傷部を補修するようにした管内損傷部封止方法を提供できる。
【図面の簡単な説明】
【００１４】
【図１】この発明の実施の一形態による管内損傷部封止バンドの設置断面図である。
【図２】図１における中央部の縦方向断面図である。
【図３】この発明の管内損傷部封止バンドを敷設管に使用する要部の拡大断面図である。
【図４】この発明の管内損傷部封止バンドを複数に分割した実施形態の一つの形状を示す図面である。
【図５】この発明の管内損傷部封止バンドの両端側の隙間に設置する打ち込み楔の形状図である。
【図６】従来例の損傷部補修方法を示す斜視図である。
【発明を実施するための形態】
【００１５】
以下、この発明の実施の一形態を図面に基づいて説明する。図１は、既設の排水管２１等の内部に、この発明による損傷部封止バンド２２，２３，２４を設置した場合の断面図である。既設の排水管２１等は、例えば内径が１１００ミリメートルのヒューム管などで製作され設置されている。この排水管２１等の接合部の水漏れや部分的な欠損などが生じることがあり、このような損傷部分２１ａの補修が必要になる場合の解決策の一つである。
【００１６】
こうした損傷部分２１ａを補修するために、図２に示すように損傷部分２を含む円周方向内面に、厚さが５ミリメートルで幅が２００ミリメートルのステンレス鋼板で形成された損傷部封止バンドＢが貼り付けられる。この損傷部封止バンドＢは一枚で構成しても良いが、運搬などの都合上から本実施例では三枚２２、２３、２４で構成している。
【００１７】
また、損傷部封止バンド２２，２３，２４の両側終端の接合部分には、図４及び図５に示すように打ち込み楔２５を挿入するために一方が広口２５ｂで他方が狭口２５ａとなるように構成される。即ち、図１に示すように損傷部封止バンドは、三枚のバンド２２、２３、２４を連結して構成され、上側に構成される両側終端の接合部分には、打ち込み楔２５を挿入する隙間２８が形成されている。
【００１８】
打ち込み楔２５は、図５に示すように封止バンド２２，２４の両側終端の接合部分を埋めるような傾斜した楔状に形成され、図５（ａ）に示すように一方が狭く２５ａそして他方が広い幅２５ｂを有する楔状になっている。そして、傾斜した楔状の端面両側には図５（ｂ）、（ｃ）に示すように細長い突起２５ｃが形成されている。この端面両側の細長い突起２５ｃは、図４（ａ）に示すように封止バンド２２、２４の両側終端の接合部分に打ち込み楔２５が挿入される際に、両側終端の接合部分に形成された薄い幅の溝２２ａ、２４ａが嵌合される。
【００１９】
損傷部封止バンド２２、２３、２４は、図４に拡大して示すように円周方向の両端が楔状に隙間２８を有し、管内の内周面全周囲に亘って敷設されるように帯状に形成される。つまり、図４に示す中央部分がバンド２２、２４の両側終端の接合部を表わし、接合部の一方である打ち込み楔２５には細長い突起２５ｃ、２５ｃが形成され、他方である封止バンド２２、２４にはこれと噛合う薄い幅の溝２２ａ、２４ａが形成されている。また、図３に示すように断面で円筒方向の左右両端側にクボミ溝２２ａ、２２ａが形成され、そのクボミの中に弾性を有する封止パッキン２２ｂ、２２ｂがそれぞれ敷設されている。
【００２０】
損傷部封止バンドの敷設には、三枚のバンド２２、２３、２４を連結して排水管２１等の内面に仮止めされ、最後に打ち込み楔２５が排水管２１等の内面で円筒方向から両側終端の接合部分の隙間２８に挿入される。即ち、円筒方向の一方の広口部分から他方の狭口部分に向かって、打ち込み楔２５の狭い幅の部分２５ａから隙間２８に挿入されると、順次封止バンド２２、２４の両端を引き離すように作用する。つまり、バンド全体の内径が大きく膨らむことを意味し、それによって封止バンド２２、２３、２４を排水管２１等の内面に密着させるように作用する。
【００２１】
このようにして、打ち込み楔２５が封止バンド２２、２４の隙間２８に挿入されることによって、封止バンド２２、２３、２４が排水管２１等の内面に密着され、円筒方向の両端側に形成されたクボミ溝２２ａ、２２ａの中に敷設された弾性を有する封止パッキン２２ｂが排水管２１等の内面に圧接される。封止パッキン２７は水によって膨張する特性を有する特殊ゴムを用いて形成される。そして、封止バンド２２、２３、２４と排水管２１等の内面との間に、封止パッキン２２ｂによって密封された狭い空間が形成される。
【００２２】
一方、封止パッキン２２ｂおよび打ち込み楔２５には数箇所に小穴２６が形成されており、この小穴２６から封止パッキン２２ｂによって密封された狭い空間内に、特殊治具を用いてウレタン系の樹脂２７が注入され、排水管２１等の内面に生じた損傷部分２１ａを完全に密封して水漏れなどの不都合を修理できる。小穴２６は図５に示されているが、封止バンド２２、２３、２４にも形成されているけれども他の図面においては省略されている。
【００２３】
図３は、このようにしてウレタン系の樹脂２７が封止パッキン２２ｂによって密封された狭い空間内に注入され、排水管２１等の内面に生じた損傷部分２１ａを完全に密封した状態を示している。
【００２４】
ここで、三枚の損傷部封止バンド２２、２３、２４のそれぞれの接合部には、円筒方向の位置ずれを防止するために、図４（ｂ）および（ｃ）に示すように一方の端面の形状を凹面に、そして他方の端面の形状を凸面に形成され、それぞれ凹凸面を嵌め合わせて接合を確実にしている。さらに、損傷部封止バンド２２、２３、２４および打ち込み楔２５を確実に排水管２１等の内面に固定するために、図５に打ち込み楔２５について例示するようにねじ穴２９が形成されており、このねじ穴２９にアンカーボルト（図示していない）を取り付けて締め付けると、位置ずれを生じ難くなり強固に固定できる。損傷部封止バンド２２、２３、２４については図示していないが、図５に例示するねじ穴２９と同様のねじ穴が形成され、アンカーボルトによって排水管２１等の内面に確実に固定される。
【００２５】
なお、上記実施例では封止パッキン２２ｂによって密封された狭い空間内に、ウレタン系の樹脂２７が注入されて排水管２１等の内面に生じた損傷部分２１ａを密封しているが、注入する材料としてはこれに限定されることなく、水膨張性を有する素材など損傷部封止剤を適宜置換できることは言うまでもない。また、上記実施例では三枚の損傷部封止バンド２２、２３、２４に分割しているが、部品単体の重量が運搬上の障害になる場合には、四枚または五枚など適宜分割数を変えることができる。さらに、損傷部封止バンド２２、２３、２４はステンレス素材に限定されず、適宜先端技術に基づく適正な素材を適用できる。
【００２６】
なお、本発明は上記実施形態に限定されるものではなく、本発明の技術思想の範囲内で適宜実施形態を変更して実施することができる。
【符号の説明】
【００２７】
２１；既設の排水管
２１ａ；損傷部分
２２，２３，２４；損傷部封止バンド
２５；打ち込み楔
２６；小穴
２７；損傷部封止剤（ウレタン系の樹脂）
【図１】
2014058995.tif 000003
【図２】
2014058995.tif 000004
【図３】
2014058995.tif 000005
【図４】
2014058995.tif 000006
【図５】
2014058995.tif 000007
【図６】
2014058995.tif 000008